(57)【特許請求の範囲】
【請求項１】
一端が上水道に接続されると共に他端が出湯栓に接続され、一端と他端間の流路が、並列に接続された複数の分岐管によって構成された往き管と、
前記往き管の一端と他端間を連通した戻り管と、
前記各分岐管の途中にそれぞれ接続され、接続された分岐管を流通する湯水を加熱する加熱部と、接続された分岐管を開閉する通水切替弁とを有する複数台の給湯器と、
前記往き管と前記戻り管と前記給湯器とにより構成された循環路内の湯水を循環させる循環ポンプと、
上水道から前記往き管への給水を検出する給水検出部と、
前記分岐管に供給される湯水の温度を検出する入水温度センサと、
前記分岐管を流通する湯水の流量を検出する流量センサと、
前記給水検出部により上水道から前記往き管への給水が検出されているときに、前記流量センサにより前記流量を監視し、前記流量の増減に応じて運転する前記給湯器の台数を変更し、前記複数台の給湯器のうちの少なくとも１台を前記通水切替弁を開弁した通水可能状態とすると共に、他の給湯器を前記通水切替弁を閉弁した通水不能状態として、通水可能状態の給湯器の前記加熱部により、上水道から前記往き管に供給される水を加熱して前記出湯栓に供給する給湯運転を実行し、
前記給水検出部により上水道から前記往き管への給水が検出されていないときに、前記循環ポンプを作動させ、前記複数の給湯器のうちの少なくとも１台を前記通水可能状態とすると共に、他の給湯器を前記通水不能状態として、前記入水温度センサの検出温度が所定の保温設定温度となるように、通水可能状態の給湯器の前記加熱部により前記循環路内を循環する湯水を加熱する循環保温運転を実行する制御部と
を備えた即時給湯システムであって、
前記制御部は、複数台の前記給湯器を前記通水可能状態として、該通水可能状態とした複数台の給湯器の前記加熱部を作動させて前記循環保温運転を実行したときに、前記入水温度センサの検出温度が前記保温設定温度に基づいて設定された加熱レベル判定温度を超えたときには、前記通水可能状態の給湯器のうちの一部の給湯器を通水状態としたまま、当該給湯器の前記加熱部の作動を停止する加熱制限処理を実行することを特徴とする即時給湯システム。
【発明の詳細な説明】
【技術分野】
【０００１】
本発明は、出湯栓が開けられたときに、直ちに湯が供給される機能を備えた即時給湯システムに関する。
【背景技術】
【０００２】
従来、上水道に接続された給水管と出湯栓との間に複数台の給湯器を並列に接続した往き管と、これらの給湯器をバイパスして出湯栓と給水管とを連通した戻り管と、往き管及び戻り管と給湯器とから成る循環回路内の湯水を循環させる循環ポンプとを備えた即時給湯システムが知られている（例えば、特許文献１参照）。
【０００３】
特許文献１に記載された即時給湯システムにおいては、出湯栓が閉じられて給湯が停止しているときに、循環ポンプを作動させて循環回路内の湯水を循環させながら、給湯器を流通する湯水を加熱する循環保温運転を行っている。このように、循環保温運転を行って
循環回路内の湯水を設定温度付近に維持することにより、使用者が出湯栓を開けたときに、出湯栓から直ちに湯が供給されるようにしている。
【先行技術文献】
【特許文献】
【０００４】
【特許文献１】特開２０１５−２１６８１号公報
【発明の概要】
【発明が解決しようとする課題】
【０００５】
特許文献１に記載された即時給湯システムは５台の給湯器を並列に接続して構成され、循環保温運転の実行時には、２台の給湯器を作動させて循環路を流通する湯水を加熱している。
【０００６】
この構成では、循環路を流通する湯水の温度が所定温度付近に維持されるように、２台の給湯器による湯水の加熱量（バーナの燃焼量）が制御されるが、２台の給湯器の加熱量を最小にしても循環路内の湯水の温度が所定温度よりも高くなる場合がある。そして、この場合には、給湯器による加熱を断続的に行って循環路内の湯の温度を所定温度付近に維持することが考えられるが、給湯器の最小加熱能力が大きいときには、断続的な加熱に伴って循環保温運転中の循環路内の湯の温度の変動幅が大きくなるという不都合がある。
【０００７】
本発明はかかる背景に鑑みてなされたものであり、循環保温運転中の循環路内の湯温の変動を抑制することができる即時給湯システムを提供することを目的とする。
【課題を解決するための手段】
【０００８】
本発明は、一端が上水道に接続されると共に他端が出湯栓に接続され、一端と他端間の流路が、並列に接続された複数の分岐管によって構成された往き管と、
前記往き管の一端と他端間を連通した戻り管と、
前記各分岐管の途中にそれぞれ接続され、接続された分岐管を流通する湯水を加熱する加熱部と、接続された分岐管を開閉する通水切替弁とを有する複数台の給湯器と、
前記往き管と前記戻り管と前記給湯器とにより構成された循環路内の湯水を循環させる循環ポンプと、
上水道から前記往き管への給水を検出する給水検出部と、
前記分岐管に供給される湯水の温度を検出する入水温度センサと、
前記分岐管を流通する湯水の流量を検出する流量センサと、
前記給水検出部により上水道から前記往き管への給水が検出されているときに、前記流量センサにより前記流量を監視し、前記流量の増減に応じて運転する前記給湯器の台数を変更し、前記複数台の給湯器のうちの少なくとも１台を前記通水切替弁を開弁した通水可能状態とすると共に、他の給湯器を前記通水切替弁を閉弁した通水不能状態として、通水可能状態の給湯器の前記加熱部により、上水道から前記往き管に供給される水を加熱して前記出湯栓に供給する給湯運転を実行し、
前記給水検出部により上水道から前記往き管への給水が検出されていないときに、前記循環ポンプを作動させ、前記複数の給湯器のうちの少なくとも１台を前記通水可能状態とすると共に、他の給湯器を前記通水不能状態として、前記入水温度センサの検出温度が所定の保温設定温度となるように、通水可能状態の給湯器の前記加熱部により前記循環路内を循環する湯水を加熱する循環保温運転を実行する制御部と
を備えた即時給湯システムに関する。
【０００９】
そして、前記制御部は、複数台の前記給湯器を前記通水可能状態として、該通水可能状態とした複数台の給湯器の前記加熱部を作動させて前記循環保温運転を実行したときに、前記入水温度センサの検出温度が前記保温設定温度に基づいて設定された加熱レベル判定温度を超えたときには、前記通水可能状態の給湯器のうちの一部の給湯器を通水状態としたまま、当該給湯器の前記加熱部の作動を停止する加熱制限処理を実行することを特徴とする。
【００１０】
かかる本発明によれば、往き管と戻り管とにより循環路が構成され、往き管の流路を構成する複数の各分岐管の途中に給湯器が接続されている。そして、制御部は、給水検出部により上水道から往き管への給水が検出されているときは、少なくとも１台の給湯器を通水可能状態として、上水道から供給される水を加熱して出湯栓に供給する給湯運転を実行する。また、制御部は、給水検出部により上水道から往き管への給水が検出されていないときには、循環ポンプを作動させ、少なくとも１台の給湯器を通水可能状態として、循環路内の湯水を加熱する循環保温運転を実行する。
【００１１】
そして、制御部は、複数台の給湯器を通水可能状態として、該通水可能状態とした複数台の給湯器の加熱部を作動させて循環保温運転を実行したときに、入水温度センサの検出温度が加熱レベル判定温度を超えたときには、通水可能状態の給湯器のうちの一部の給湯器の加熱部の作動を停止する加熱制限処理を実行する。加熱制限処理を実行することによって、循環路内を流通する湯水の流量を維持して、湯水に対する加熱量を減少させることができる。
【００１２】
これにより、加熱部を連続的に作動させて循環路内の湯水を保温設定温度付近に保つことが可能になり、加熱部を断続的に作動させる場合に比べて、循環路内の湯水の温度変動を抑制することができる。
【図面の簡単な説明】
【００１３】
【図１】即時給湯システムの構成図（循環保温運転状態）。
【図２】即時給湯システムの構成図（給湯運転状態）。
【図３】循環保温運転及び給湯運転の第１のフローチャート。
【図４】循環保温運転及び給湯運転の第２のフローチャート。
【図５】即時給湯システムの状態遷移の説明図。
【発明を実施するための形態】
【００１４】
本発明の実施形態の一例について、図１〜図５を参照して説明する。
【００１５】
［１．即時給湯システムの構成］
図１を参照して、本実施形態の即時給湯システム１は連結給湯型であり、５台の給湯器１０，２０，３０，４０，５０と、各給湯器１０，２０，３０，４０，５０と通信可能に接続された連結コントローラ６０と、連結コントローラ６０と通信可能に接続されたリモコン７０とを備えている。
【００１６】
また、即時給湯システム１は、一端が上水道（図示しない）に接続されると共に他端が出湯栓９に接続された往き管２と、往き管２の出湯栓９との接続箇所及び往き管２と上水道との接続箇所間を連通した戻り管４と、戻り管４に設けられて、往き管２及び戻り管４と給湯器１０，２０，３０，４０，５０のうち後述する水量サーボが開弁状態である給湯器とにより構成される循環路３内の湯水を循環させる循環ポンプ５とを備えている。
【００１７】
循環ポンプ５には、図示しない流量センサが設けられており、連結コントローラ６０は、この流量センサによる検出流量に基づいて、循環路３を流通する湯水の流量を認識する。
【００１８】
往き管２の図中ＡとＢとの間の流路は、並列に接続された分岐管１９，２９，３９，４９，５９により構成されている。分岐管１９，２９，３９，４９，５９の途中には、給湯器１０，２０，３０，４０，５０がそれぞれ接続されている。
【００１９】
給湯器１０は、分岐管１９の途中に接続された熱交換器１１と、熱交換器１１を加熱するバーナ１２と、分岐管１９の開度を調節する水量サーボ１３（本発明の通水切替弁の機能を含む）と、分岐管１９を流通する湯水の流量を検出する流量センサ１４と、分岐管１９から流出する湯水の温度を検出する出湯温度センサ１５と、分岐管１９に流入する水の温度を検出する入水温度センサ１６と、給湯器１０の作動を制御する給湯コントローラ１７とを備えている。
【００２０】
なお、熱交換器１１とバーナ１２とにより、本発明の加熱部が構成される。また、給湯コントローラ１７は、図示しないＣＰＵ、メモリ等により構成された電子回路ユニットであり、メモリに保持された給湯器１０の制御用プログラムをＣＰＵで実行することによって、給湯器１０の作動を制御する機能を果たす。給湯器２０，３０，４０，５０についても同様である。
【００２１】
給湯器２０は、給湯器１０と同様に、熱交換器２１と、バーナ２２と、水量サーボ２３と、流量センサ２４と、出湯温度センサ２５と、入水温度センサ２６と、給湯コントローラ２７とを備えている。給湯器３０は、給湯器１０と同様に、熱交換器３１と、バーナ３２と、水量サーボ３３と、流量センサ３４と、出湯温度センサ３５と、入水温度センサ３６と、給湯コントローラ３７とを備えている。
【００２２】
給湯器４０は、給湯器１０と同様に、熱交換器４１と、バーナ４２と、水量サーボ４３と、流量センサ４４と、出湯温度センサ４５と、入水温度センサ４６と、給湯コントローラ４７とを備えている。給湯器５０は、給湯器１０と同様に、熱交換器５１と、バーナ５２と、水量サーボ５３と、流量センサ５４と、出湯温度センサ５５と、入水温度センサ５６と、給湯コントローラ５７とを備えている。
【００２３】
図１，２では、開弁状態である水量サーボ１３，２３を白抜きの三角で表し、閉弁状態である水量サーボ３２，４３，５３を黒抜きの三角で表している。
【００２４】
連結コントローラ６０は、図示しないＣＰＵ、メモリ等を備えた電子回路ユニットであり、各給湯器１０，２０，３０，４０，５０の給湯コントローラ１７，２７，３７，４７，５７との間で通信を行って、各給湯器１０，２０，３０，４０，５０に対する作動の指示と、各給湯器１０，２０，３０，４０，５０の状態の検知を行う。
【００２５】
連結コントローラ６０は、出湯栓９が開栓されて上水道から往き管２に給水されているときに、給湯器１０，２０，３０，４０，５０のうちの少なくとも１台を作動させて、往き管２を流通する水を加熱する給湯運転と、出湯栓９が閉栓されているときに、循環ポンプ５を作動させて循環路３内の湯水を循環させながら、給湯器１０，２０，３０，４０，５０のうちの少なくも１台を作動させて、循環路３内の湯水を加熱する循環保温運転を実行する。
【００２６】
連結コントローラ６０にはリモコン７０が接続されており、使用者はリモコン７０を操作することによって、給湯運転時に出湯栓９から供給される湯の温度（給湯設定温度）、循環保温運転を実行する時間帯（循環保温時間帯）等を設定することができる。
【００２７】
［２．循環保温運転及び給湯運転］
以下、図３〜図４に示したフローチャートに従って、連結コントローラ６０による「循環保温運転」と「給湯運転」の実行手順について説明する。なお、連結コントローラ６０が「循環保温運転」と「給湯運転」を実行する構成は、本発明の制御部に相当する。
【００２８】
連結コントローラ６０は、図３のＳＴＥＰ１で、以下の（ａ）又は（ｂ）の即時給湯条件が成立しているか否かを判断する。
（ａ）現在時刻がリモコン７０により設定された循環保温時間帯である。
（ｂ）リモコン７０により循環保温の開始操作がなされた。
【００２９】
そして、即時給湯条件が成立しているときにＳＴＥＰ２に進み、給湯器１０，２０を待機状態とする。給湯器１０が待機状態であるときに、給湯コントローラ１７は、水量サーボ１３を開弁する。そして、流量センサ１４により作動流量以上の通水が検出されているときに、運転状態となって、出湯温度センサ１５の検出温度が目標給湯温度（リモコン７０により設定される）となるように、バーナ１２を燃焼させる加熱運転を行う。加熱運転の実行中に流量センサ１４の検出流量が作動流量よりも少なくなったときに、給湯コントローラ１７は、バーナ１２を消火して加熱運転を終了し、待機状態に戻る。
【００３０】
なお、給湯器１０の水量サーボ１３が開弁した状態は本発明の通水可能状態に相当し、給湯器１０の水量サーボ１３が閉弁した状態は本発明の通水不能状態に相当する。給湯器２０，３０，４０，５０についても同様である。
【００３１】
給湯器２０，３０，４０，５０においても、給湯器１０と同様に、待機状態であるときに、分岐管２９，３９，４９，５９に下限流量以上の通水がなされたときには、運転状態に切り替わって加熱運転が実行される。
【００３２】
また、連結コントローラ６０は、給湯器３０，４０，５０の給湯コントローラ３７，４７，５７に対して、停止状態となることを指示する。この指示を受けて、給湯コントローラ３７は、水量サーボ３３を閉弁状態とする。これにより、給湯器３０への通水が禁止される。同様にして、給湯器４０の水量サーボ４３、及び給湯器５０の水量サーボ５３が閉弁状態とされて、給湯器４０，５０が停止状態となる。
【００３３】
ここで、図３のフローチャートでは、ＳＴＥＰ２で給湯器１０，２０を待機状態とし、給湯器３０，４０，５０を停止状態としたが，連結コントローラ６０は、運転時間が平均化されるように、給湯器１０，２０，３０，４０，５０のうち、ＳＴＥＰ２で待機状態とする給湯器と停止状態とする給湯器の組合せを順次変更する。
【００３４】
続くＳＴＥＰ３で、連結コントローラ６０は、循環ポンプ５をオン（作動）する。これにより循環保温運転が開始され、図１に示したように、往き管２の分岐管１９，２９，３９，４９，５９のうち、待機状態とされた給湯器１０，２０が接続された分岐管１９，２９を経由して、循環路３内の湯水が循環される。
【００３５】
そして、給湯器１０においては、流量センサ１４により下限流量以上の通水が検出されて運転状態に切り替わり、給湯コントローラ１７は、出湯温度センサ１５の検出温度が設定給湯温度（本発明の保温設定温度に相当する）となるように、バーナ１２の燃焼量を調節する加熱運転を実行する。
【００３６】
給湯器２０においても同様に、流量センサ２４により下限流量以上の通水が検出されて運転状態に切り替わり、給湯コントローラ２７は、出湯温度センサ２５の検出温度が目標給湯温度となるように、バーナ２２の燃焼量を調節する加熱運転を実行する。給湯器１０，２０の作動により、循環路３内を流通する湯水の温度が次第に上昇する。
【００３７】
次のＳＴＥＰ４とＳＴＥＰ５からなるループにより、連結コントローラ６０は、ＳＴＥＰ４で、上水道から往き管２への給水の有無を判断する。ここで、連結コントローラ６０は、以下の（ｃ），（ｄ）が共に成立したときに、上水道から往き管２への給水有りと判断する。なお、（ｃ）と（ｄ）のいずれか一方のみによって、上水道から往き管２への給水の有無を判断してもよい。
（ｃ）給湯器１０の流量センサ１４による検出流量と、給湯器２０の流量センサ２４による検出流量との合計流量が、循環ポンプ５による循環流量＋γ（例えば、５リットル/min）以上である。
（ｄ）給湯器１０の入水温度センサ１６又は給湯器２０の入水温度センサ１６の検出温度が、所定温度（例えば、１５度）以上低下した。
【００３８】
なお、連結コントローラ６０が、上記（ｃ），（ｄ）の条件を判断して、上水道から往き管２への給水の有無を判断する構成は、本発明の給水検出部に相当する。
【００３９】
また、ＳＴＥＰ５で、給湯器１０の入水温度センサ１６又は給湯器２０の入水温度センサ２６の検出温度（入水温度）が給湯設定温度−α（例えば５度、本発明の加熱レベル判定温度に相当する）よりも高くなったか否かを判断する処理を繰り返し実行する。
【００４０】
そして、ＳＴＥＰ４で、上水道から往き管２への給水有を判断したときにＳＴＥＰ２０に分岐し、連結コントローラ６０は、循環ポンプ５をオフ（作動停止）し、次のＳＴＥＰ２１で給湯運転を実行する。給湯運転の実行中、連結コントローラ６０は、運転状態である給湯器の流量センサ（図１では、給湯器１０の流量センサ１４と給湯器２０の流量センサ２４）による検出流量を監視し、検出流量の増減に応じて運転状態とする給湯器の台数を変更する。
【００４１】
図２は、２台の給湯器１０，２０を運転状態として給湯運転が実行されている状態を示しており、上水道から往き管２に供給される水が分岐管１９，２９に流入している。そして、給湯器１０の熱交換器１１で加熱生成された湯、及び給湯器２０の熱交換器２１で加熱生成された湯が合流して、出湯栓９から供給されている。
【００４２】
ＳＴＥＰ５で入水温度が給湯設定温度−αを超えたときは、ＳＴＥＰ６に進む。そして、連結コントローラ６０は、給湯器２０を非加熱運転状態（水量サーボ２３を開弁状態とし、バーナ２２の燃焼を停止した状態）にする。これにより、循環路３内を流通する湯水の加熱が、給湯器１０の熱交換器１１及びバーナ１２のみによって行われる状態となる。
【００４３】
なお、ＳＴＥＰ５で入水温度が給湯設定温度−αを超えたときに、ＳＴＥＰ６に進んで給湯器２０を待機状態にしてバーナ２２による加熱を停止する処理は、本発明の加熱制限処理に相当する。
【００４４】
続く図４のＳＴＥＰ７〜ＳＴＥＰ８のループにより、連結コントローラ６０は、ＳＴＥＰ７で、給湯器１０の流量センサ１４による検出流量と、給湯器２０の流量センサ２４による検出流量との合計流量が、循環ポンプ５による循環流量＋γ（例えば、５リットル/min）以上であるか否かを判定して、上水道から往き管２への給水の有無を判断する。また、ＳＴＥＰ８で、給湯器１０の入水温度センサ１６又は給湯器２０の入水温度センサ２６の検出温度が給湯設定温度よりも高くなったか否かを判断する処理を繰り返し実行する。
【００４５】
そして、ＳＴＥＰ７で、上水道から往き管２への給水有と判断したときにＳＴＥＰ３０に分岐し、連結コントローラ６０は、循環ポンプ５をオフする。また、続くＳＴＥＰ３１で、連結コントローラ６０は給湯器２０を待機状態（水量サーボ２３を開弁し、バーナ２２の燃焼を停止した状態）とし、次のＳＴＥＰ３２で給湯運転を実行する。
【００４６】
また、ＳＴＥＰ８で、入水温度が給湯設定温度よりも高くなったときにＳＴＥＰ９に進み、連結コントローラ６０は、循環ポンプ５をオフする。これにより、給湯器１０への通水が停止して、給湯器１０における湯水の加熱が停止する。
【００４７】
続くＳＴＥＰ１０〜ＳＴＥＰ１１のループにより、連結コントローラ６０は、ＳＴＥＰ１０で、上述したＳＴＥＰ４と同様の処理により、上水道から往き管２への給水の有無を判断する。そして、ＳＴＥＰ１０で、上水道から往き管２への給水有と判断したときにＳＴＥＰ４０に分岐し、連結コントローラ６０は給湯器２０を待機状態とし、ＳＴＥＰ４１で給湯運転を実行する。
【００４８】
また、ＳＴＥＰ１１で、給湯器１０の入水温度センサ１６又は給湯器２０の入水温度センサ２６の検出温度が給湯設定温度−β（例えば１０度）よりも低くなったか否かを判断する処理を繰り返し実行する。
【００４９】
また、ＳＴＥＰ１１で、入水温度が給湯設定温度−β（例えば１０度）まで下がったときに、ＳＴＥＰ１２に進み、連結コントローラ６０は、循環ポンプ５をオンしてＳＴＥＰ７に進む。これにより、給湯器１０における湯水の加熱が再開される。
【００５０】
［３．給湯器の状態の変化］
次に、図５に示した遷移表を参照して、即時給湯システム１の状態の変化に応じた給湯器１０，２０，３０，４０，５０のパラメータ（水量サーボ１４，２４，３４，４４，４５の開閉、分岐管１９，２９，３９，４９，５９への通水の有無、バーナ１２，２２，３２，４２，５２の燃焼／停止）の変化について説明する。
【００５１】
図５は、即時給湯システム１の状態が、「停止（状態Ｎｏ．１）」→「循環保温（加熱大）（状態Ｎｏ．２）」→「循環保温（加熱小）（状態Ｎｏ．３）」→「給湯使用（状態Ｎｏ．４）」→「循環保温（加熱大）（状態Ｎｏ．５）」→「循環保温（加熱小）（状態Ｎｏ．６）」→「停止（状態Ｎｏ．７）」の順に切り替わった場合を例示している。
【００５２】
「停止（状態Ｎｏ．１，７）」では、給湯器１０が待機状態（水量サーボ１３が開弁、バーナ１２が分岐管１９への通水流量に応じて燃焼する状態）、他の給湯器２０，３０，４０，５０が停止状態（水量サーボ２３，３３，４３，５３が閉弁、バーナ２２，３２，４２，５２が燃焼を停止した状態）となっている。そして、出湯栓９が閉栓しているため、給湯器１０への通水が無く、バーナ１２は燃焼を停止している。
【００５３】
「循環保温（加熱大）（状態Ｎｏ．２，５）」では、給湯器１０，２０が待機状態（水量サーボ１３，２３が開弁、バーナ１２，２２が分岐管１９，２９への通水流量に応じてそれぞれ燃焼する状態）となって循環ポンプ５が作動し、給湯器１０，２０に通水され、給湯器１０，２０のバーナ１２，２２が燃焼する。これにより、循環路３内を流通する湯水が給湯器１０及び給湯器２０によって加熱される。
【００５４】
「循環保温（加熱小）（状態Ｎｏ．３，６）」では、給湯器１０が待機状態（水量サーボ１３が開弁、バーナ１２が分岐管１９への通水流量に応じて燃焼する状態）、給湯器２０が運転非加熱状態（水量サーボ２３が開弁、バーナ２２が燃焼を停止した状態）、他の給湯器３０，４０，５０が停止状態（水量サーボ３３，４３，５３が閉弁、バーナ３２，４２，５２が燃焼を停止した状態）となって循環ポンプ５が作動し、給湯器１０，２０に通水され、給湯器１０のバーナ１２が燃焼する。これにより、循環路３内を流通する湯水が給湯器１０のみによって加熱される。
【００５５】
この場合、循環路３内を流通する湯水が給湯器１０のみによって加熱されるため、循環路３内を流通する湯水の流量を維持しつつ、循環路３内を流通する湯水を少ない加熱量で連続的に加熱することができる。これにより、循環路３内の湯水を比較的大きな加熱量によって断続的に加熱する場合よりも、循環路３内の湯水の温度の変動を抑制することができる。
【００５６】
「給湯使用（状態Ｎｏ．４）」では、給湯器１０，２０が待機状態（水量サーボ１３，２３が開弁、バーナ１２，２２が分岐管１９，２９への通水流量に応じてそれぞれ燃焼する状態）となり、他の給湯器３０，４０，５０が停止状態（水量サーボ３３，４３，５３が閉弁、バーナ３２，４２，５２が燃焼を停止した状態）となって、上水道から往き管２に給水されたときに給湯運転が実行されている（図３のＳＴＥＰ２１，図４のＳＴＥＰ３２，ＳＴＥＰ４１の処理）。
【００５７】
これにより、上水道から往き管２に供給された水が分岐管１９，２９に流入して給湯運転が実行され、給湯器１０，２０により給湯設定温度まで昇温されて、出湯栓９から供給される。給湯運転においては、上述したように、上水道からの水の供給流量の増減に応じて運転状態とされる給湯器の台数が変更される。
【００５８】
［４．他の実施形態］
上記実施形態では、連結コントローラ６０を、給湯器１０，２０，３０，４０，５０とは別に設けた例を示したが、連結コントローラ６０の機能をいずれかの給湯器の給湯コントローラに持たせた構成としてもよい。この場合、リモコンは給湯コントローラに接続される構成となる。
【００５９】
上記実施形態では、給湯器１０，２０，３０，４０，５０を１台ずつ個別に運転状態、停止状態、及び待機状態に切り替える構成としたが、複数台（例えば２台）の給湯器を１グループとして、グループ毎に給湯器の運転状態、停止状態、及び待機状態を切り替えるようにしてもよい。
【００６０】
上記実施形態では、バーナ（ガスバーナ、灯油バーナ等）を備えた給湯器を示したが、電気等の他の種類の熱源を使用する給湯器を用いてもよい。
【符号の説明】
【００６１】
１…即時給湯システム、２…往き管、３…循環路、４…戻り管、５…循環ポンプ、９…出湯栓、１０，２０，３０，４０，５０…給湯器、１１，２１，３１，４１，５１…熱交換器、１２，２２，３２，４２，５２…バーナ、１３，２３，３３，４３，５３…水量サーボ（通水切替弁）、１４，２４，３４，４４，５４…流量センサ、１５，２５，３５，４５，５５…出湯温度センサ、１６，２６，３６，４６，５６…入水温度センサ、１７，２７，３７，４７，５７…給湯コントローラ、１９，２９，３９，４９，５９…分岐管、６０…連結コントローラ、７０…リモコン。
【図１】
0006635858.tif 000002
【図２】
0006635858.tif 000003
【図３】
0006635858.tif 000004
【図４】
0006635858.tif 000005
【図５】
0006635858.tif 000006